Podtech/llm-jp-corpus-v4-ja_patent huggingface dataset:
(57)【要約】【課題】本発明は、花器の開口部が狭く、あるいは開口部から底部までが深い場合であっても、花器を毀損する恐れなく容易に剣山を使用して花を生けるための剣山補助具を提供する。【解決手段】  剣山をはめ込むための円板（１）の縁（２）に柱（３）を立て、柱の頭頂部を枠状の部材（４）に接合し、枠状の部材に梁（５）を渡し、梁の中心部に輪状部分（６）を設け、輪状部分に持ち手となる取り外し自由な棒（７）を取り付けた構造を有し、円板（１）の縁（２）の内側に剣山をはめ込み、花材を枠状の部材（４）を通して剣山に刺して固定した上、棒（７）を手に持って花器に出し入れする。【選択図】図１
2006314725.tif 000002
【特許請求の範囲】
【請求項１】
剣山をはめ込むための円板（１）の縁（２）に柱（３）を立て、柱の頭頂部を枠状の部材（４）に接合し、枠状の部材に梁（５）を渡し、梁の中心部に輪状部分（６）を設け、輪状部分に持ち手となる取り外し自由な棒（７）を取り付けたもの。
【発明の詳細な説明】
【技術分野】
【０００１】  本発明は、華道等で用いられる剣山の補助具に関するものである。
【背景技術】
【０００２】  従来、花器に花材を固定するために、剣山が用いられている。
【発明が解決しようとする課題】
【０００３】  剣山を使用するとき、次のような問題点があった。剣山は花器の底に置いて使用するものであるが、花器の開口部が狭く、あるいは開口部から底部までが深い場合、花器を毀損する恐れなく剣山を置いたり取り出したりすることが困難である上、いったん剣山に固定した花材の位置を変えるために剣山を手で押さえることが困難であるため、使用できる花器が皿状のものに限られている。
本発明は、以上の問題点を解決し、花器の開口部が狭く、あるいは開口部から底部までが深い場合であっても、花器を毀損する恐れなく容易に剣山を使用して花を生けることができるようになされたものである。
【課題を解決するための手段】
【０００４】  剣山をはめ込むための円板（１）の縁（２）に柱（３）を立て、柱の頭頂部を枠状の部材（４）に接合し、枠状の部材に梁（５）を渡し、梁の中心部に輪状部分（６）を設け、輪状部分に持ち手となる取り外し自由な棒（７）を取り付ける。
【発明の効果】
【０００５】  以下、本発明の効果を説明する。
（イ）本発明を使用することで、花器を毀損する恐れなく容易に花器の底に剣山を置いたり取り出したりすることができる。
（ロ）花材の位置を剣山に固定した状態で
（ハ）花器の中に入れるため、花器の開口部が狭く、あるいは開口部から底部までが深い場合であっても、剣山を使って花を生けることができる。
（ニ）花材の位置を剣山に固定した状態で花器に出し入れできるため、花材の形を崩さずに水の交換や花器の洗浄ができる。
【発明を実施するための最良の形態】
【０００６】  以下、本発明の実施の形態を説明する。
（イ）円板（１）の外周に縁（２）を設ける。
（ロ）縁から柱（３）を立てる。
（ハ）柱の頭頂部に枠状の部材（４）を接合する。この部材の位置は、円板を底部とした場合にほぼ真上となる位置である。
（ニ）枠状の部材に梁（５）を渡す。
（ホ）梁の中心部に輪状部分（６）を設ける。
（ヘ）持ち手となる棒（７）の先端を輪状部分に取り付ける。棒の先端（８）は渦巻き状とし、輪状部分からの取り外しができるものとする。
本発明は以上の構成より成る。
本発明を使用する場合は、円板（１）の縁（２）の内側に剣山をはめ込み、花材を枠状の部材（４）を通して剣山に刺して固定した上、棒（７）を手に持って花器に入れる。花器から出す場合も、棒（７）を手に持ち、引き上げる。なお、花材を花器に入れている間、棒（７）は付けたままでも、取り外しておいてもよい。
【図面の簡単な説明】
【０００７】
【図１】本発明の斜視図である。
【図２】本発明の使用時の断面図である。
【図３】本発明の使用状態を示した透視図である。
【符号の説明】
【０００８】１  円板
２  縁
３  柱
４  枠状の部材
５  梁
６  輪状部分
７  棒
８  棒の先端
【図１】
2006314725.tif 000003
【図２】
2006314725.tif 000004
【図３】
2006314725.tif 000005
(57)【要約】【課題】従来ある２ツ折り洗濯物干し具を使用し、洗濯物の片付けを簡略化すること。【解決手段】従来ある２ツ折り洗濯物干し具に吊り下げ器具を取り付ける事を特徴とする。また、予め吊り下げ器具を取り付けられた２ツ折り洗濯物干し具。【選択図】図１
2006314730.tif 000002
【特許請求の範囲】
【請求項１】
２ツ折り洗濯物干し具に取り付けることにより、洗濯物を保持したままの洗濯物干し具を２ツ折りにたたんだ状態で、衣類収納場所にコンパクトにかけられるようにする事を特徴とする吊り下げ器具。
【請求項２】
前記吊り下げ器具は２つ折り洗濯物干し具の枠の間に挟むことによって取り付けられるため、細くても安定的な強度を持つ素材で作られることを特徴とする請求項１記載のつり下げ器具。
【請求項３】
前記吊り下げ器具は、どの向きでもかけられるよう吊り下げ器具の付け根が回転式であることを特徴とする請求項１記載の吊り下げ器具。
【請求項４】
前記吊り下げ器具を予め組み込んだ２ツ折り洗濯物干し具。
【発明の詳細な説明】
【技術分野】
【０００１】  この発明は、２ツ折り洗濯物干し器具に取り付けることにより洗濯物の収納、片付けを容易にする取り付け型吊り下げ器具に関する。
【背景技術】
【０００２】  従来の２ツ折り洗濯物干し器具は、不使用時に２ツ折りにすることでコンパクトになる枠に洗濯物保持器具を多数取り付けそれを吊り下げ器具をもって物干し竿等に保持することにより、シャツなどを効率的に多数干すことを主目的としている。
【発明の開示】
【発明が解決しようとする課題】
【０００３】  しかしながら、以上の技術によれば、洗濯物の乾燥後は衣類をたたまなければならないことや使用後の２ツ折り洗濯物干し具の片付けに難がある。そこでこの発明は、衣類をたたむ手間と時間を削減することと２ツ折り洗濯物干しの干すことを目的とするとき以外の保管において有効的な活用方法を提供することを課題とする。
【課題を解決するための手段】
【０００４】  以上の課題を解決するために、第一発明は従来ある２ツ折り洗濯物干し具に簡単に取り付けられ、また本発明を取り付けることによって乾燥後の洗濯物を２ツ折り洗濯物干し具につけたまま衣類収納場所に２つに折った状態の省スペースで吊り下げ保管することを特徴とする取り付け型の吊り下げ器具である。
第２発明は取り付け方を容易にするために折りたたんだ洗濯物干し具の枠の間に挟むだけにするために細くても強度のある素材を使用したことを特徴とする取り付け型吊り下げ器具である。
第二発明は吊り下げ器具の付け根部分を回転式にすることでどんな向きにでも吊り下げることができ、また保管時においては２ツ折り物干し具を回転させることができ衣類の選択と取り外しを容易にすることを特徴とする取り付け型吊り下げ器具である。
また、第三発明は予め２ツ折り洗濯物干し具の製造段階において本吊り下げ器具を組み込み、よりいっそうの便利さを追求したことを特徴とする２つ折り洗濯物干し具である。
【発明の効果】
【０００５】  第一発明、第二発明により従来ある２ツ折り洗濯物干し具に吊り下げ器具を取り付けることで洗濯物の片付け、収納をコンパクトかつ容易にした。
また、第３発明により吊り下げ器具のつけはずしをなくし利用者によりいっそうの便利さを提供する。
【発明を実施するための最良の形態】
【０００６】  この発明の一実施形態を、図１に示す。【０００７】「実施形態の効果」
この実施形態によれば、図２の従来ある２ツ折り洗濯物干し具に図３〜図５のように簡単に吊り下げ器具を取り付けができ、またはずすことも容易である。また、図６のように乾いた洗濯物が洗濯物保持器具に保持されたまま衣類収納場所に保管することができる。【０００８】「他の実施形態」
図７の実施形態のように２ツ折り洗濯物干し具の制作時に予め吊り下げ器具を付けたものでも良い。
【図面の簡単な説明】
【０００９】
【図１】この発明の一実施形態を示す斜視図である。
【図２】従来の２ツ折り洗濯の物干し具の斜視図である。
【図３】従来の２ツ折り洗濯の物干し具を裏返した状態の斜視図である。
【図４】従来の２ツ折り洗濯の物干し具に本発明を取り付ける過程の斜視図である。
【図５】従来の２ツ折り洗濯の物干し具に本発明を取り付けた状態の斜視図である。
【図６】乾いた洗濯物が２つ折り洗濯物干し具に洗濯物保持器具により保持されたままの状態で衣類収納場所に保管された状態の斜視図である。
【図７】予め吊り下げ器具を取り付けた２ツ折り洗濯物干し具の斜視図
【符号の説明】
【００１０】１  本発明のフック部    ２  ２つ折り洗濯物干し具の固定用凸部
３  枠    ４  ２つ折り洗濯物干し具のフック部    ５洗濯物保持器具
６  チェーン
【図１】
2006314730.tif 000003
【図２】
2006314730.tif 000004
【図３】
2006314730.tif 000005
【図４】
2006314730.tif 000006
【図５】
2006314730.tif 000007
【図６】
2006314730.tif 000008
【図７】
2006314730.tif 000009
(57)【要約】【課題】本発明は、寝袋が使用者の呼気、体脂、ひげの摩擦等によって汚損するのを防ぐと同時に寝袋の使用感を向上する寝袋用襟掛けを提供する。【解決手段】布（１）の周縁部にクリップ（２）を複数取り付けた構造を有し、布（１）を寝袋開口部の使用者の顔に接触する部分に寝袋の縁を覆う形状に被せ、クリップ（２）で寝袋を構成している布を挟んで固定することで、使用者の顔と寝袋の直接接触を防ぐものである。【選択図】図１
2006314724.tif 000002
【特許請求の範囲】
【請求項１】
布（１）の周縁部にクリップ（２）を複数、把持部をもって取り付け、寝袋開口部の使用者の顔に接触する部分に寝袋の縁を覆う形状に被せ、本発明の周縁部に取り付けたクリップの挟持部で寝袋を構成している布を挟んで固定できる構造を特徴とするもの。
【発明の詳細な説明】
【技術分野】
【０００１】  本発明は、寝袋の開口部に取り付ける掛け布に関するものである。
【背景技術】
【０００２】  従来、携帯可能な寝具として寝袋が利用されている。
【発明の開示】
【発明が解決しようとする課題】
【０００３】  寝袋を使用するとき、次のような問題点があった。寝袋は通常、保温性を高めるため、使用時には使用者の顔周囲のみが開口部となり、この開口部を絞ることによって外気の侵入を防ぐことができる構造となっている。このため、開口部の縁が使用者の顔に接触し、寝袋が使用者の呼気、汗、体脂、ひげの摩擦等によって汚損しやすく、また開口部を絞った場合は縁が細かいギャザー状となり使用者に不快感を与える。
本発明は、以上の問題点を解決し、寝袋の汚損を防ぐと同時に寝袋の使用感を向上するためになされたものである。
【課題を解決するための手段】
【０００４】  布（１）の周縁部（２）にクリップを複数、把持部をもって取り付ける。
【発明の効果】
【０００５】  以下、本発明の効果を説明する。
（イ）本発明は、寝袋の使用者の顔と寝袋の直接接触を防ぎ、寝袋が使用者の呼気、汗、      体脂、ひげの摩擦等によって汚損するのを防ぐことができる。
（ロ）本発明は、寝袋の開口部を絞った場合に、細かいギャザー状となった開口部の縁が      寝袋の使用者の顔に直接接触するのを防ぎ、使用者の不快感を軽減することができ      る。
（ハ）本発明は、使用に適する寝袋の形状をあまり選ばず、一般に使用されているほとん      どの寝袋に適合する。
【発明を実施するための最良の形態】
【０００６】  本発明は、布（１）の周縁部にクリップ（２）を複数、把持部をもって取り付けた構成より成る。
本発明を使用する場合は、布（１）を寝袋開口部の使用者の顔に接触する部分に寝袋の縁を覆う形状に被せ、布（１）の周縁部に取り付けたクリップ（２）の挟持部で寝袋を構成している布を挟んで固定する。
【図面の簡単な説明】
【０００７】
【図１】  本発明の構造図である。
【図２】  本発明の使用状態を示した図である。
【符号の説明】
【０００８】  １  布
２  クリップ
【図１】
2006314724.tif 000003
【図２】
2006314724.tif 000004
(57)【要約】【課題】従来のブラシでは使用者は販売されているものを使用するしかなく、使用者は販売されている形のブラシを選択するしかなかったためである。【解決手段】グリップ全体を自由に動かせブラシ部分を、分割し脱着装置を付けた事で使用者自身にブラシ自体の形を選択し使用する事ができる。【選択図】図１０
2006314752.tif 000002
【特許請求の範囲】
【請求項１】
本体が自由に動くことで消費者一人一人に応じることが出来る様にしたブラシ。
【発明の詳細な説明】
【技術分野】
【０００１】一般のブラシの便利化をはかったブラシに関する。
【背景技術】
【０００２】従来の家庭用ブラシは多種多様にする事で支持を得ている。
【発明の開示】
【発明が解決しようとする課題】
【０００３】従来のブラシは形が決められているため使い勝手がいい物が多いとは言えない。【０００４】毛づまりした毛を取りにくいものである。【０００５】従来のブラシは収納に困りやすいものである。【０００６】髪の毛がひっかかりやすいものである物が多い。
【課題を解決する為の手段】
【０００７】そして本発明は上記目的を達成する為にブラシ部分をアタッチメントにする事で決められた形だけではなく広くも狭くも機能を損なうことなく使えるようにした。
【０００８】毛づまりしやすい部分をアタッチメントにした事で引っかかった髪の毛を容易に取る事ができる。
【０００９】持つ部分を自由に曲げれる事でどこにでも掛けれる事ができる。
【００１０】アタッチメントの脱着部分に空間を持たせる事でアタッチメントが動く事を可能にし従来のブラシより髪の毛の抵抗をへらした。
【発明の効果】
【００１１】消費者自身に一番適した形のブラシを自ら形成できる。
【発明を実施するための最良の形態】
【００１２】以下、本発明の実施の形態を図１〜図１０に基ずいて説明する。【００１３】図１〜図３は、自分自身が使いやすいと思う形である。【００１４】図４は、アタッチメント部分とグリップ部分が装着された状態である。【００１５】図５〜図６は、グリップ本体の曲げてない状態である。【００１６】図７は、グリップ自身がどこからでも曲がるのでフック状にし、どこでも引っ掛ける様にした状態である。【００１７】図８は、上から見た脱着方法である。アタッチメントをグリップに装着する時は、グリップをアタッチメントＢに片方づつ押し込むようにいれる。【００１８】図９は、横から見た脱着方法である。アタッチメントをグリップに装着する時は、グリップをアタッチメントＢに片方づつ押し込むようにいれる。【００１９】図１０は、図７〜図９を実行し図１〜図３に付いていた六つのアタッチメントではなく、四つにした図である。
【図面の簡単な説明】
【００２０】
【図１】  本発明の正面図
【図２】  本発明の側面図
【図３】  本発明の後方図
【図４】  アタッチメントの上部図
【図５】  グリップの全面図
【図６】  グリップの側面図
【図７】  グリップを曲げたときの側面図
【図８】  上部からみた脱着方法図
【図９】  側面からみた脱着方法図
【図１０】  図７〜図９を実行した完成図
【符号の説明】
【００２１】Ａの中には一回り小さい同じ形の軽い金属状のものが入っている。その周りの全体をラバーで囲ったものである。なので自由な形にする事ができる。
【００２２】Ｂの脱着部分は金属状のものかプラスチックかアルミ系のもので作成しそれなりの強度をもたせ、脱着させるときに左右どちらかのＢを押しやりながら脱着を可能にする。
【００２３】Ｃは、従来のブラシを分割にした状態に似ている。
【００２４】ＢとＣは、お互いを合わせる事によりＡに脱着させて使用する事を可能にした
【００２５】ＢとＣをそのままに付けるのだはなく、細く付けているので従来のブラシより髪の毛をとく時は抵抗力を逃がしやすい。
【図１】
2006314752.tif 000003
【図２】
2006314752.tif 000004
【図３】
2006314752.tif 000005
【図４】
2006314752.tif 000006
【図５】
2006314752.tif 000007
【図６】
2006314752.tif 000008
【図７】
2006314752.tif 000009
【図８】
2006314752.tif 000010
【図９】
2006314752.tif 000011
【図１０】
2006314752.tif 000012
(57)【要約】【課題】  床から容器の最低面までの高さを変えずに、排水機能を保持し、任意の場所へ排水する水切り容器を提供する。【解決手段】底面を傾斜にした容器（１）の最低面の横に排水管（２）を付け、排水管の先に任意の場所へ排水するための管（４）を繋いだものである。容器に濡れた物を入れたとき、含んだ水を容器の底に落とすため、中に内籠（５）を入れ、底面の傾斜によって配水管に水を導く。更に繋いだ管を通り、任意の場所へ排水する。台の上で使用したときに、台を汚すことなく、台の端から容器が突き出さず、邪魔にならない。配水管を、容器の横に付け、管を繋げることにより、任意の場所へ排水が可能で、高さを増すことなく排水することを特徴とするものである。【選択図】  図１
2006314757.tif 000002
【特許請求の範囲】
【請求項１】
容器の底面を傾斜にし、最低面の横から排水することで、容器の中の水を排水し、床から容器までの空間を最小にし、配水管に管を付けることで、任意の場所へ排水することを特徴とする容器である。
【発明の詳細な説明】
【技術分野】
【０００１】  本発明は、容器の高さを変えずに、中の水を横から任意の場所へ排水する容器に関するものである。
【背景技術】
【０００２】  従来の排水機能のない容器は、中に水が溜まっていた。
配水管が容器の底面についているものは、配管が真下に付き、容器の高さが増していた。
【特許文献１】特許公開平９−１００４７
【発明の開示】
【発明が解決しようとする課題】
【０００３】  従来の水切り容器は、容器の底に水が溜まってしまい、カビや細菌増殖の原因になっていた。
容器の水を頻繁に捨て清潔に保つには、手間がかかり、利便性に欠けるものであった。
容器の底に穴を空け、真下に直接落とすのでは、床が濡れてしまう。
容器の真下に管を付けて排水したのでは、配水管の形状から、容器の高さが増してしまうという欠点があった。
本発明は、以上の欠点を無くすためになされたものである。
【課題を解決するための手段】
【０００４】  底面を傾斜にした容器（１）の最低面の横に排水管（２）をつけ、その先に管（４）を繋げる。
容器の中に籠（５）を入れる。
本発明は、以上の構成による水切り容器である。
【発明の効果】
【０００５】  容器の中の水は最低面の横から管を通り、外に排水され、床から容器の最低面までの高さは、排水管を付けない場合と変わらない。
繋いだ管により、床を濡らさず任意の場所へ排水することが可能である。
【発明を実施するための最良の形態】
【０００６】底面を傾斜にした容器（１）の最低面の横に排水管（２）を付ける。
容器の中に、籠（５）を入れる。
排水管の先に管（４）を繋ぐ。
繋いだ管により、任意の場所へ排水する。
容器の中に溜まった水は、底面を傾斜にした容器の最低部に集まり、横に付けられた管を通り、任意の場所へ移動する。
台の上で使用した場合も、容器の高さを変えることなく、台から突き出ることもなく、任意の場所へ排水できる。
本発明は、以上のような構造で、容器の底面の高さ（３）を変えずに、中の水を排水する。
中に籠（５）を入れ、食器などの水切りに使用すると、どんなに水を含んでいても容器に水が溜まらず水切りをし、台の上で使用したときに、任意の場所に排水することが出来て、その機能を十分に発揮できるものである。
【図面の簡単な説明】
【０００７】
【図１】  本発明の断面図１である。
【図２】  本発明の断面図２である。（籠を使用した場合）
【図３】  本発明の斜視図である。
【図４】  本発明の平面図である。
【符号の説明】
【０００８】  （１）  傾斜した底面
（２）  排水管
（３）  床から容器の最低面までの高さ
（４）  管
（５）  籠
【図１】
2006314757.tif 000003
【図２】
2006314757.tif 000004
【図３】
2006314757.tif 000005
【図４】
2006314757.tif 000006
(57)【要約】      （修正有）【課題】ゲートボールを始めたがやっているうちに奥の深さがわかってきた。メモ用紙一冊にボールの位置と時間の経過をページを繰りながら記録を試みたが作業が追いつかず尚且っプレイしながらの記録は不可能であった。試合の流れを追っていきながら全体を把握することが目的である。【解決手段】コンピュータ画面により、ボールの動きに対応した操作に基づいて夫々のボールの位置関係、得点の運動、時間の経過を見えるようにした。【選択図】図１
2006314756.tif 000002
【特許請求の範囲】
【請求項１】
コンピュータタッチ方式により、敵・味方のボールの位置、得点、残り時間を表示する装置
【発明の詳細な説明】
【発明の詳細な説明】
【００１】［発明の属する技術分野］
この発明は、ゲートボールで画面上の操作を行ない、現状を明確にし、見落しによる作戦のロスを減少させ、勝利につなげる装置である。
【００２】［従来の技術］
従来は、得点と時間の測定機は存在したがボールの位置は熟練した記憶と、その都度メンバーで走り回って確認しているが時間を要しオーバータイムの違反を招きかねない。そのため単純な作戦に終止している。又、プレーヤーとしても単純に、当てる、通過するだけの狙いで楽しいものではあるが、興味が半減している。
【００３】［発明が解決しようとする課題］
本発明はその欠点を補うためプレイの流れに沿って、各ボールの位置、得点、時間を画面上に表現する。
【００４】［課題を解決するための手段］
最近のコンピュータ発展に目ざましいものがあり、ゲーム機やテレビの天気予報等に利用されているタッチパネル方式を利用することとした。
【００５】［発明の操作の要領］
試合の流れに沿って
2006314756.tif 000003
同様に３番ボールから１０番ボールまで進み２回目の１番からは画面上の番号にタッチして移動させる。他のボールが当ったり、スパーク打撃を受けて移動した場合も画面上のボールにタッチして移動させ常時試合状況と同じボールの位置と、夫々の得点、合計点が表示されていることになる。
【００６】［発明の効果］
従来の、時間、得点の測定機能だけでなく、今まで見逃していたチャンスを取り込んだ戦略の拡大を図りゲートボールのおもしろさ、楽しさを倍増させさらなる奥の深さが理解され技術の進歩及び生涯スポーツとしてのゲートボール人口の拡大につなげたい。
【図面の簡単な説明】［図１］本発明のコンピュータ画面
（型１）作戦参謀用
カバー開閉型
（型２）プレイ者用
マジックテープによる手首固定型
（スイッチ）オン、オフ、リセット、
（時計）試合時間設定、スタート、ボタン及び残時間表示（合図音）
（得点）第１ゲート〜第３ゲートは夫々１点、ゴールは２点加算
【符号の説明】
（１）イ、ロ、ハ、ニはアウトボールの表示、（２）ＡＢＣＤは第１ゲート不通過の表示位置
【図１】
2006314756.tif 000004
(57)【要約】【課題】２本の布ベルトで構成する家具転倒防止ベルトを提供する。【解決手段】１本目の布ベルトに床面取付金物とコキカンを取付し、２本目の布ベルト片端に家具取付金物を取付し、２本目の布ベルトの反対側の端をコキカンに通して引張り締つける事を特徴とする家具転倒防止ベルト。【選択図】図１
2006314735.tif 000002
【特許請求の範囲】
【請求項１】
１本目の布ベルトの片端に床面取付金物を取付し、反対側の端にコキカンを通してアジャスターを取付し布ベルトの長さを調整して、２本目の布ベルトの片端に家具取付金物を取付し、２本目の布ベルトの反対側の端を、１本目の布ベルトに取付したコキカンに通して、引張り締つける事を特徴とする家具転倒防止ベルト。
【発明の詳細な説明】
【技術分野】
【０００１】  本発明は、布ベルトを用いて家具の転倒を防ぐ、家具転倒防止ベルトに関するものである。
【背景技術】
【０００２】  従来、天井つっぱり棒や、壁に金物で固定する方法で家具の転倒を防いでいた。
【発明の開示】
【発明が解決しようとする課題】
【０００３】  そのために、次のような問題点あった。
（イ）天井つっぱり棒が目立ち見栄えが悪く、上部を有効に利用できなかった。
（ロ）壁に金物を固定するため壁を傷つけた。
（ハ）金物を固定する壁に下地がない場合、堅固に固定できなかった。
本発明は、これらの問題点を解決するためになされたものである。
【課題を解決するための手段】
【０００４】  １本目の布ベルトの片端に床面取付金具を取付し、反対側の端にコキカンを通してアジャスターを取付し、布ベルトの長さを調整する。２本目の布ベルトの片端に家具取付金物を取付する。次に、２本目の布ベルトの反対側の端を、１本目の布ベルトに取付したコキカンに通して引張り締つける。
本発明は、以上の構成よりなる家具転倒防止ベルトである。
【発明の効果】
【０００５】  正面から見えないため見栄えが良く、家具の上部を有効に利用できる。また、床面取付金具を床に取付するため、壁に傷をつける事がない。
【発明を実施するための最良の形態】
【０００６】  以下、本発明の実施の形態について説明する。
（イ）幅２０ｍｍ長さ３ｍの布ベルト（２）の片端に４ｃｍ角の床面取付金物（１）を取付する。
（ロ）布ベルト（２）の反対側の端にコキカンを通してアジャスターで長さ調整をする。
（ハ）幅２０ｍｍ長さ５０ｃｍの布ベルト（４）の片端に４ｃｍ角の家具取付金物（３）を取付する。
（ニ）布ベルト（４）の反対側の端を、布ベルト（２）に取付したコキカンに通して引張り締つける。
本発明は以上のような構成で、これを使用するときは、家具を置く場所の床に布ベルト（２）に取付した床面取付金物（１）を木ネジで固定した後、家具を置く。
家具上部に布ベルト（４）に取付した家具取付金物（３）を木ネジ、又は接着材で固定する。最後に布ベルト（４）の反対側の端を、布ベルト（２）に取付したコキカンに通して引張り締つける。
また、和室の場合は、布ベルト（２）に取付した床面取付金物（１）を、畳の下の木下地に固定する。スチール家具、冷蔵庫の場合は、布ベルト（４）に取付した家具取付金物を接着材で、スチール家具、冷蔵庫上部に固定する。
【図面の簡単な説明】
【０００７】
【図１】本発明の斜視図
【図２】本発明の分解斜視図
【図３】本発明の実施例を示す斜視図
【符号の説明】
【０００８】      １  床面取付金物
２  布ベルト
３  家具取付金物
４  布ベルト
５  ネジ穴
６  コキカン
７  アジャスター
８  家具
９  床
１０  壁
【図１】
2006314735.tif 000003
【図２】
2006314735.tif 000004
【図３】
2006314735.tif 000005
(57)【要約】      （修正有）【課題】既存のガーゼ製や紙製のマスクは、非装着時と比べれば、呼吸を妨げることになること、装着時には、吐息により眼鏡が曇ってしまうこと、マスクを使用したまま会話をするとマスクがずれてしまうことを解消する。【解決手段】紙製マスクの裏面上周部適当箇所に、市販の鼻腔拡張テープのような、鼻腔を拡張する機能を持たせた粘着部と、そこ以外の裏面上周部には粘着部を施したマスクを使用すると、鼻腔が広がるので、マスクを使用することで、妨げられた呼吸量を、回復せしめる。  眼鏡使用者用は、鼻腔拡張部の以外のマスク裏面上周部全てに、施された粘着部も併せて利用すれば、上周部以外は粘着されないので、吐息が直接眼鏡方向には及びにくくなり、マスク装着時における吐息による眼鏡の曇りを解消し、粘着の副作用として、会話時にマスクがずれない。  マスクの裏面左右周部にも粘着部を広げて施せば、耳かけ部が不用となる。【選択図】  図１
2006314737.tif 000002
【特許請求の範囲】
【請求項１】
通気性良好な紙素材を用いた、マスク裏面上周部適当箇所に、鼻腔拡張機能を持たせた粘着部を施し、鼻腔拡張機能を持たせた箇所以外の全裏面上周部にも、粘着部を施し、マスク裏面上周部が、顔面に直接被着行わしめるように形成せしめたことを特徴とするマスク。
【発明の詳細な説明】
【技術分野】
【０００１】  本発明は、紙製マスクに係るものであり、詳しくは風邪予防や花粉症予防などのために、用いるマスクに関するものである。
【背景技術】
【０００２】  かねてより、マスクはガーゼ製のものが使用されてきたが、近年では紙製のひだ付きマスクも多く使用されるようになり、鼻部に密着せしめるよう、マスク上周部に金属やプラスチック板が施され、鼻の形に曲げ合わて、顔とマスクの間に、隙間ができないように被着するマスクが使用されている。
【発明の開示】
【発明が解決しようとする課題】
【０００３】  従来のマスクを装着した際は、マスクを使用していない場合より、呼吸を妨げることは当然の結果であり、鼻部に密着せしめるよう、金属やプラスチック板が施された紙製マスクにおいては、殊更鼻腔を押さえ狭めるので、ますます呼吸を妨げる結果となっている。また、眼鏡使用者のマスク使用時においては、マスク上部より直接漏れ出た吐息により、眼鏡が曇ってしまう。更に、マスクを使用したまま会話をすると、マスクがずれてしまう。本発明は、以上のことを少なからず解消せしめんことを提案しようとするものである。
【課題を解決するための手段】
【０００４】  通気性良好な紙製マスクに、鼻腔拡張テープの様に、鼻腔を拡張せしめる機能を持つ粘着部を、マスク裏面上周部適当箇所に施し、顔面に直接被着行わしめ、鼻部上部に密着せしめる。【０００５】  また、上記鼻腔拡張粘着部以外のマスク裏面上周部にも、粘着部を施し、マスク上周部を全て隙間なく顔面に被着密着せしめることができるものとする。
【発明の効果】
【０００６】  鼻腔拡張粘着部の作用により、鼻腔がが拡張するために、マスクで妨げられた呼吸量を、少なからず回復し、息苦しさを画期的に解消する。【０００７】  また、眼鏡使用時においては、マスクの上部は密着し閉ざされ、上部以外は解放されているので、従来のマスクと比べると、吐息は眼鏡方向には直接及びにくくなり、従来のマスクより、遙かに眼鏡が曇らず、さらに、以上の粘着作用の副作用として、会話時に完璧にマスクはずれない。
【発明を実施するための最良の形態】
【０００８】  図面を参照し説明する。【０００９】  紙製マスク（Ａ）裏面上周部の中央部適当箇所に、鼻腔拡張機能を持たせた粘着部１を設け、それ以外の裏面上周部にも、粘着部２を設ける。【００１０】  粘着部１及び２には、粘着部を使用時まで覆い保護する紙類等を、それぞれの粘着部別に剥がしとることができるように施し、非眼鏡使用者が、本マスクを使用する際は、粘着部１を覆う紙類等のみを剥がし、鼻腔が正しく拡張しうる位置に被着使用し、眼鏡使用者が本マスクを使用する際は、粘着部２を覆う紙類等も剥がし、鼻腔が正しく拡張しうる位置に被着させながら、本マスク裏面上周部に、顔面との隙間ができないように被着使用できるよう形成する。
【産業上の利用可能性】
【００１１】  マスクを着用すると息苦しく感じ、着用した方がよくとも、その為に使用を控えがちであった場合でも、本マスクは、従来のマスクより、使用することが受け入れられ安くなる。【００１２】  眼鏡使用者が、自動車等の乗り物を運転する際などは、マスクを使用すると、眼鏡が曇ってしまうことで、使用を控えられがちであったが、本マスクはそういった際の使用に、十分耐えうる。更に、会話時にマスクがずれることなく、マスクを使用できる。【００１３】  本発明では、粘着部を１、２に分別できるようにしたが、一括とすることも当然可能であり、更に非眼鏡使用者であっても、当然全ての粘着部を使用してもかまわない。更に、粘着部を裏面左右周部にも広げて施せば、耳かけ部が不用となり、耳への負担をなくすことも可能である。
【図面の簡単な説明】
【００１４】
【図１】  本発明マスクの裏面図
【符号の説明】
【００１５】（Ａ）マスク
１．鼻腔拡張機能を持つ粘着部
２．１以外の粘着部
３．耳かけ部
【図１】
2006314737.tif 000003
(57)【要約】【課題】洗濯干し場での陽当たりの方向性を解決し、洗濯干し場の多様化や強風によるハンガーのズレ防止及び落下軽減、伸縮自在に簡潔な収納ができる為に、リング状の物の両端や中間に、ワンタッチ金具を取り付けた物干し竿の代わりを提供する。【解決手段】物干し竿をリング１に変更し、格納スペースの軽減及び付属部品を使用せず強風によるハンガーのズレや落下が軽減され、更に両端へワンタッチ取り付け金具２と角度を変更したい場所に、スペア取り付け金具３を使用する事によって、陽当たり方向への簡単な移動及び使用場所や長さの自在性をもたせる様にする。【選択図】  図２
2006314734.tif 000002
【特許請求の範囲】
【請求項１】
伸縮自在の為にリング状の物を使用する事。
【請求項２】
両端を固定する為にワンタッチ金具を使用する事。
【請求項３】
途中で角度を変更するのに付属のワンタッチ金具を使用する事。
【発明の詳細な説明】
【技術分野】
【０００１】本発明は、洗濯干し場での陽当たりの方向性を解決し、洗濯干し場の多様化や強風によるハンガーのズレ防止及び落下軽減、伸縮自在に簡潔な収納ができる為に、リング状の物の両端や中間に、ワンタッチ金具を取り付けた物干し竿の代わりとなるものである。
【背景技術】
【０００２】従来は、洗濯干し場で陽当たりの方角によって、洗濯物を干す方向の変更や簡潔な収納のできる物干し竿、又、単体でハンガーのズレ防止及び落下軽減策及び使用場所の自在性は考慮されていなかった。
【発明の開示】
【発明が解決しようとする課題】
【０００３】家屋の立地条件によって、北向きでしか洗濯物を干す事ができない場所では充分な陽当たりが確保できず、乾きにくいという難点及び、強風によるハンガーの落下やズレの改善には付属部品が必要となる。又、物干し竿は使用場所が特定される上に、取り外した時に場所を取るという難点があった。本発明は、この課題を解消する為になされたものである。
【課題を解決する為の手段】
【０００４】物干し竿の棒状をリング１に変更し、両端にワンタッチ取り付け金具２を使用し、角度を変更したい場所にスペア取り付け金具３を使用する事によって、簡単な陽当たりへの方向変更や長さ、使用場所の自在性及び、付属部品を使用せず強風によるハンガーのズレや落下軽減、格納スペースの軽減を可能とした。
【発明の効果】
【０００５】物干し竿をリング１に変更したことで格納スペースの軽減及び付属部品を使用せず強風によるハンガーのズレや落下が軽減される。更に両端へワンタッチ取り付け金具２と角度を変更したい場所に、スペア取り付け金具３を使用する事によって、陽当たり方向への簡単な移動及び使用場所や長さの自在性をもたせた。
以下、本発明の実施の形態について説明する。
（イ）．リング１の両端にワンタッチ取り付け金具２を接続させる。
（ロ）．リング１の角度を変更したい場所にスペア取り付け金具３を接続させる。
【実施例１】
【０００６】物干し竿をリング１に変更した事で取り外した後、格納スペースが軽減され、付属部品を使用せず、強風によるハンガーのズレや落下が軽減され、図１の様に両端へワンタッチ取り付け金具２と、図２の様に角度を変更したい場所に、スペア取り付け金具３を使用する事によって、陽当たり方向への簡単な移動及び使用場所や長さ、角度の自在性をもたせる。
【実施例２】
【０００７】ワンタッチ取り付け金具２で取り付けられない場合は、図２の様にリング１を対象物へ巻き付け、ワンタッチ取り付け金具２で固定する。
【図面の簡単な説明】
【０００８】
【図１】本発明の正面図である。
【図２】本発明の使用状態を示す正面図である。
【符号の説明】
【０００９】１  リング
２  ワンタッチ取り付け金具
３  スペア取り付け金具
【図１】
2006314734.tif 000003
【図２】
2006314734.tif 000004
(57)【要約】【課題】  食材料の味の融合と装飾を同時に施しスライスしても同じ模様ができる味革メーカーを提供する。【解決手段】  本体成型チューブ（１）の上部にハンドル（２）を設け、内部に可動シリンダー（３）を設けたことを特徴とする。【選択図】図１
2006314733.tif 000002
【特許請求の範囲】
【請求項１】
食材料の味の融合と装飾を同時に施しスライスしても同じ模様ができることを可能にするため、本体は先端が成型用の硬質のチューブで上部に材料に挿入するためのハンドルを設け、内部に材料を押出セットするための可動シリンダーを設けた味革メーカー。
【発明の詳細な説明】
【技術分野】
【０００１】  本発明は、食材料の味の融合と装飾を同時に施しスライスしても同じ模様ができる味革メーカーに関する。
【背景技術】
【０００２】  嫌いな食材料を克服するため食材料の味を融合し装飾を施す調理器具が必要だった。
【発明の開示】
【発明が解決しようとする課題】
【０００３】  従来食べ物で好き嫌いのある人の場合、食材料の原型を見ると食べにくい、食材料を加工すると成分が失われる欠点があった。本発明は、その欠点を除くために考案した。
【課題を解決するための手段】
【０００４】  本体は先端が成型用の硬質のチューブで、その上部に材料に挿入するためのハンドルを設け、内部に材料を押出セットするための可動シリンダーにより、食材料の味の融合と装飾を同時に施しスライスしても同じ模様ができる調理作業を可能にした。
【発明の効果】
【０００５】  食材料の部分部分をそのまま移動させ食べ物の味に変化を与えると同時に装飾効果を向上させスライスしても同じ模様ができる調理作業を可能にした。
【発明の実施するための最良の形態】
【０００６】  本体上部ハンドルを手で持ち、甲食材料に挿入し本体を抜き取り内部可動シリンダーで押出し内部材料取り出す、乙の食材料に本体を挿入し本体抜き取り甲食材料に挿入、内部可動シリンダーで内部材料を押出セットすることで味の融合と装飾が同時に施されスライスしても同じ模様ができる食材ができる。
【図面の簡単な説明】
【０００７】
【図１】本発明の部分断面図である。
【図２】本発明の斜視図である。
【符号の説明】
【０００８】１本体成型チューブ
２ハンドル
３可動シリンダー
【図１】
2006314733.tif 000003
【図２】
2006314733.tif 000004
(57)【要約】【課題】取っ手のあるコップ等の転倒を防ぐコップホルダーを、低コストで提供する。【解決手段】コップを設置する円筒部（１）に切れ込み（２）をもうけ、それにあわせてコップの取っ手を差し込むことによりコップを設置しやすくし、また、底面部（３）を広い面積にすることにより、コップが横からの力を受けても底面部（３）が支えとなり、コップの転倒を防ぐことを特徴とする。【選択図】図２
2006314739.tif 000002
【特許請求の範囲】
【請求項１】
コップを設置する円筒部（１）と転倒を防ぐため広い面積でできた底面部（３）からなるコップホルダー
【発明の詳細な説明】
【技術分野】
【０００１】  この発明は、コップが転倒することを防ぐことを目的としたコップホルダーに関するものである。
【背景技術】
【０００２】  従来、自動車内で使用する缶飲料の転倒を防ぐためのコップホルダーがあった。また、幼児がコップを転倒させるのを防ぐための発明として、子供用吸盤付きコースター（特許公開平８−７０９７５）があった。
【発明の開示】
【発明が解決しようとする課題】
【０００３】  これらには、次のような問題点があった。
まず、車内用のコップホルダーは、通風口に取り付けて使用するとか、下面と吸着テープで接着するなど使用が車内に限られており、普通の机上で取っ手のあるコップを対象として使用するには不便であった。
また、子供用吸盤付きコースターは、転倒防止策として底面に吸盤を付けるなどコストがかかり製品化が困難であった。
【課題を解決するための手段】
【０００４】  本発明は、以上のような欠点をなくすためになされたもので、これを図面について説明すれば、コップを設置する円筒部（１）にはコップの取っ手を置きやすいように切れ込み（２）がある。その円筒部（１）と広い面積の底面部（３）から構成されるコップホルダーである。
【発明の効果】
【０００５】  これを使用するときは、円筒部（１）の切れ込み（２）にあわせて、コップの取っ手を差し込んでコップを置く。すると、前後左右あらゆる角度から力を受けても、底面部（３）が支えとなってコップが倒れない。
本発明は、簡単な形状であり、素材もポリプロピレン等を使用して低コストで生産することができる。また、下の机等と接着することもないのでどこでも好きな所に動かすことができる。また、狭い事務机上で使用しても、場所をとるのは円筒部（１）だけなので邪魔にならない。
【発明を実施するための最良の状態】
【０００６】  以下、本発明の実施例について説明する。
円筒部（１）に切れ込み（２）を設け、円筒部（１）に底面部（３）を取り付ける。円筒部（１）と底面部（３）は別個に製造し接着してもよいし、一体的に製造してもよい。底面部（３）は円形でなくとも、楕円形や四角形などでも転倒を防止できればどのような形態でもよい。
本発明は、以上のような構造で、これを使用するときは、コップの取っ手を切れ込み（２）にあわせてコップを置く。これでコップは横からの力を受けても底面部（３）が支えとなり転倒しない。
なお、本発明は、コップだけでなく缶飲料等を対象としても使用できる。
また、幼児用としては、円筒部（１）をコップに取り替えて、それに底面部（３）を取り付ければ、倒れない幼児用コップとなる。
【図面の簡単な説明】
【０００７】
【図１】    本発明の斜視図である。
【図２】    本発明の使用中の斜視図である。
【符号の説明】
【０００８】  １  円筒部
２  切れ込み
３  底面部
４  コップ
【図１】
2006314739.tif 000003
【図２】
2006314739.tif 000004
(57)【要約】      （修正有）【解決手段】額縁の透明な面板１として用いたアクリル板は所定のサイズに裁断され、プラスチック成型された縁取２に嵌合され、必要であれば接着剤で接着される。マグネットテープの貼付又はマグネット粒子入モルタルの塗込はマグネット成型された縁取に設けられた溝を利用して行われる。マグネットテープ３の場合は溝に嵌め込む感じで接着を行い、マグネット粒子入モルタルの場合は穴抜された当板を溝に合わせて置いてから塗込み、当板を外す。このようにして磁気取付式額縁が出来上がる。【効果】縁取にアクリル板を嵌めたり、設けられた溝にマグネットテープを貼るようにすれば位置取の治具を用いなくても作業出来るようになる。【選択図】図２
2006314736.tif 000002
【特許請求の範囲】
【請求項１】
アクリル板等透明の面板をプラスチック成型した縁取に嵌め込んで取付け、必要であれば接着剤で接着し、プラスチック成型した縁取に設けられた溝にマグネットテープを貼った事を特徴とする。
【請求項２】
アクリル板等透明の面板をプラスチック成型した縁取に嵌め込んで取付け、必要であれば接着剤で接着し、プラスチック成型した縁取に設けられた溝にマグネット粒子入りのモルタルを塗った事を特徴とする。
【発明の詳細な説明】
【作用】
【０００１】額縁の透明な面板としてアクリル板を用いた例を示す。アクリル板は所定のサイズに裁断され、プラスチック成型された縁取に嵌合され、必要であれば接着剤で接着される。マグネットテープの貼付又はマグネット粒子入モルタルの塗込はマグネット成型された縁取に設けられた溝を利用して行われる。マグネットテープの場合は溝に嵌め込む感じで接着を行い、マグネット粒子入モルタルの場合は穴抜された当板を溝に合わせて置いてから塗込み、当板を外す。このようにして磁気取付式額縁が出来上がる。
【実施例】
【０００２】次に図面に基づいて本発明の実施例につき説明する。
図１は平面図、図２はＡ−Ａ矢視図、図２はＢ−Ｂ矢視図を示す。
本額縁は透明な面板▲１▼とプラスチック成型された縁取▲２▼と溝に貼られたマグネットテープ▲３▼により構成される。
【発明の効果】
【０００３】面板に縁取を貼ったり、マグネットテープを貼ったりする方法に比べて、プラスチック成型された縁取に面板を嵌め込むように出来るとか、縁取に設けられた溝にマグネットテープを貼るように出来るので、位置合わせに手間が掛からず、位置合わせの良否による不良品の発生が防げる。この方法によって、取付作業が簡単１つ熟練を要せずに正確に出来、見栄えが良くなる。
【図面の簡単な説明】
【図１】平面図
【図２】Ａ−Ａ矢視図
【図３】Ｂ−Ｂ矢視図
【符号の説明】
１  透明な面板
２  縁取
３  マグネットテープ
【図１】
2006314736.tif 000003
【図２】
2006314736.tif 000004
【図３】
2006314736.tif 000005
(57)【要約】【課題】銀行等に設置されているＡＴＭの端末機など、操作者個人を認証する必要のある装置では、操作者が正規の操作者であることを認証するために暗証番号を入力する。この際、入力操作を盗み見られてもその内容を容易に理解できない暗証番号入力方法を提供する。【解決手段】１桁ごとの暗証番号の入力を１回または複数回のキー入力で押されたキーの値を加算し，その結果で１桁ごとの暗証番号を決定する手段を設けるものである。本発明によれば暗証番号の１つの数字を確定させるために複数のキー操作を行うため仮に入力操作を盗み見られたとしてもその内容を理解するのは相当に困難となり、盗み見を防ぐのに高い効果が得られる。【選択図】図１
2006314013.tif 000002
【特許請求の範囲】
【請求項１】
キー操作により数字の入力を行う暗証番号入力装置において、入力した数値の合計により暗証番号各桁の入力値を決定する手段を設けたことを特徴とする暗証番号入力装置。
【請求項２】
入力した数値の合計の最下位１桁の値を暗証番号各桁の入力値とすることを特徴とする請求項１記載の暗証番号入力装置。
【請求項３】
暗証番号各桁のとり得る値の範囲すべての値の入力キーを備えず、それより少ない範囲の値の入力キーにてとり得る範囲すべての値を入力する手段を備えた請求項１記載の暗証番号入力装置。
【発明の詳細な説明】
【技術分野】
【０００１】
本発明は、操作者個人を認証する必要のある装置における暗証番号の入力方法に関するものである。
【背景技術】
【０００２】
銀行等に設置されているＡＴＭの端末機など、操作者個人を認証する必要のある装置では、操作者が正規の操作者であることを認証するために、暗証番号を入力する必要がある。暗証番号は4桁程度の数字の組み合わせによるもので、その入力方法として、０〜９の数字キー（テンキー）の操作によるものが一般的である。しかしこの方法は、近くにいる他人から入力の操作が見られてしまい、暗証番号が漏洩してしまう危険性がある。そこで、テンキーのキー配置を認証ごとにランダムに変更する方法が考えられている。これはタッチパネルなどを用いて表示画面の上から操作する装置において、認証の度に表示するテンキーの配置を変更する方式である。テンキーの表示配置が毎回異なるため，単にキーを押す位置を盗み見ただけでは暗証番号は判らないという利点がある。このような方式については特開２００２−３２１７６号公報が知られている。
【特許文献１】特開２００２−３２１７６号公報
【発明の開示】
【発明が解決しようとする課題】
【０００３】
このような認証方式は盗み見られることに対しての効果は高いもののキー配置がランダムに変わるため，操作の度にとまどうことも多く操作性の点で十分な解決策とはなっていない。そこで本発明の課題は、暗証番号が漏洩する危険性を低くしつつ操作性を損なわない入力装置を提供することである。
【課題を解決するための手段】
【０００４】
本発明は、１桁ごとの暗証番号の入力を１回または複数回のキー入力で実現するものである。押されたキーの値を加算し、その結果で１桁ごとの暗証番号を決定する手段を設けるものである。
【発明の効果】
【０００５】
本発明によれば、暗証番号１桁を決定するのに複数の組合せのキー操作が可能であるため、キー配置を変更することなく毎回違った位置のキーを押すことが可能となり、操作性を損なわずに盗み見に十分な効果を得ることが出来る。また暗証番号の１つの数字を確定させるために複数のキー操作を行うため仮に入力操作を盗み見られたとしてもその内容を理解するのは相当に困難となり、盗み見を防ぐのに高い効果が得られる。さらに押された数字の加算結果の最下位１桁を入力値として扱うことから、必ずしも０から９までの全数字のキーが必要ではなくなるため、装置の構成を簡略化できる効果もある。
【実施例１】
【０００６】
以下、本発明の実施の形態について、図を用いて更に詳しく説明する。図１は本発明の実施例を示す図である。この図において１０１は本発明に係る暗証番号入力装置である。１０２は暗証番号が入力されたことを示す表示部、１０３はキー入力部で、０から３の数字入力キーと入力を確定させるＥキー、入力をクリアするＣキーで構成する。以下、その動作を説明する。最初に操作者は１桁目を入力するために、０〜３の数字入力キーを押下する。次に確定キーを押せば、暗証番号の１桁目が確定する。一方、数字入力キーを続けて押すと、最初の数字に加算される。次も同様に確定キーか数字入力キーが押下される。同様に確定キーが押下されるまで続き、その間に押下された数字入力キーの合計の最下位１桁を入力数字とする。２桁目以降も同様の入力方法とする。
【０００７】
例えば暗証番号が１３５７の場合は、
１桁目：１Ｅ
２桁目：３Ｅ
３桁目：２３Ｅ
４桁目：３３１Ｅ
となる。３桁目は２と３を加算した５として入力され、4桁目では３と３と１を加算した７として入力される。
【０００８】
しかしキーの入力方法はこれだけではなく、別のキーの組み合わせとして例えば下記のような入力も可能である。
１桁目：０１０Ｅ
２桁目：２０１Ｅ
３桁目：１０３１Ｅ
４桁目：２０１０３１Ｅ
この場合に１桁目は０と１と０を加算した１、２桁目は２と０と１を加算した３、３桁目、４桁目も同様にそれぞれ５、７となる。
【０００９】
また例えば３桁目について
３桁目：３３３３３Ｅ
と入力した場合はその合計１５の最下位１桁すなわち５として入力する。このように１つの数字を表すのに０も交えた加算として表すことによりキーを押す回数や組み合わせは無限に存在することになる。仮に入力操作を盗み見られたとしてもその内容を理解するのは相当に困難となり、盗み見を防ぐのに高い効果が得られる。
【実施例２】
【００１０】
次に本発明の第二の実施例を図２で説明する。図２は本発明の第二の実施例を示す構成図で、図１と同一部分には同一番号を付してある。図２において１０４は第２の実施例に係るキー入力部で、０から３の数字キーと、入力をクリアするＣキーで構成する。以下、その動作を説明する。本実施例では１桁の入力を数字キー３回押し下げ、とあらかじめ規定する。
【００１１】
こうすることにより各数字を入力するためのキー操作は
０：０＋０＋０
１：１＋０＋０
２：１＋１＋０または２＋０＋０
３：１＋１＋１または２＋１＋０または３＋０＋０
４：１＋１＋２または２＋２＋０または３＋１＋０
５：１＋１＋３または１＋２＋２または３＋２＋０
６：１＋２＋３または２＋２＋２または３＋３＋０
７：２＋２＋３または１＋３＋３
８：２＋３＋３
９：３＋３＋３
となり、最後に確定の意味でのキー操作は不要である。
【００１２】
この操作方法で各桁を入力する。本実施例でも１つの数字を確定するためには３回のキー操作が必要であり、仮に入力操作を盗み見られたとしてもその内容を理解するのは相当に困難であり、盗み見を防ぐのに高い効果が得られることは第一の実施例と同様である。
【図面の簡単な説明】
【００１３】
【図１】本発明の実施例における構成図。
【図２】本発明の第二の実施例における構成図。
【符号の説明】
【００１４】
１０１…本発明に係る暗証番号入力装置
１０２…表示部
１０３…キー入力部
１０４…第二の実施例に係るキー入力部
【図１】
2006314013.tif 000003
【図２】
2006314013.tif 000004